(57)【要約】【課題】ストリップフィルム１本のコマ数のうち半分のコマ数に対応した読み取り領域を備える透過原稿の読み取り可能な画像読み取り装置において、透過原稿読み取りの際の使い勝手を悪化させないようにする。【解決手段】フィルムホルダの一の角部を、前記画像読み取り装置の原稿台の同じ位置関係にある角部に一致させた場合に、ストリップフィルム１本のコマのうち半分のコマが前記読み取り領域に含まれ、フィルムホルダの前記角部の縦辺方向の反対側の角部を、前記画像読み取り装置の原稿台の前記角部の横辺方向の反対側の角部に一致させた場合に、ストリップフィルムの前記半分のコマ以外のコマが前記読み取り領域に含まれる位置に設けられたストリップフィルムホルダを有するフィルムホルダを提供する。【選択図】  図５
2004242037.tif 000002
【特許請求の範囲】
【請求項１】
ストリップフィルム１本のコマ数のうち半分のコマ数に対応した読み取り領域を備える、透過原稿を読み取り可能なフラットベッド方式の画像読み取り装置で、透過原稿を読み取るためのフィルムホルダであって、
ストリップフィルムを保持するストリップフィルムホルダ機構を備え、
前記ストリップフィルムホルダ機構は、
フィルムホルダの一の角部（角部Ｈ１）を、前記画像読み取り装置の原稿台の同じ位置関係にある角部（角部Ｂ１）に一致させた場合に、ストリップフィルム１本のコマのうち半分のコマ（第１のコマ群）が前記読み取り領域に含まれ、
フィルムホルダの前記角部（角部Ｈ１）の縦辺方向の反対側の角部（角部Ｈ２）を、前記画像読み取り装置の原稿台の前記角部（角部Ｂ１）の横辺方向の反対側の角部（角部Ｂ２）に一致させた場合に、ストリップフィルムの前記半分のコマ以外のコマ（第２のコマ群）が前記読み取り領域に含まれる位置に設けられたことを特徴とするフィルムホルダ。
【請求項２】
請求項１に記載のフィルムホルダにおいて、
前記角部（角部Ｈ１）と縦辺方向の反対側の角部（角部Ｈ２）との間に２つのガイド部を備え、
前記角部（角部Ｈ１）寄りのガイド部は、ストリップフィルムの前記半分のコマ以外のコマ（第２のコマ群）を示し、縦辺方向の反対側の角部（角部Ｈ２）寄りのガイド部は、前記半分のコマ（第１のコマ群）を示すことを特徴とするフィルムホルダ。
【請求項３】
請求項１または２に記載のフィルムホルダにおいて、
マウントされたスライドフィルムを保持するスライドフィルムホルダ機構をさらに備え、
前記スライドフィルムホルダ機構は、
前記フィルムホルダの一の角部（角部Ｈ１）の対角位置の角部（角部Ｈ３）を、前記画像読み取り装置の角部（角部Ｂ１）に一致させた場合、あるいは、前記フィルムホルダの一の角部（角部Ｈ１）の横辺方向の反対側の角部（角部Ｈ４）を、の横辺方向の反対側の角部（角部Ｂ２）に一致させた場合に、スライドフィルムが前記読み取り領域に含まれる位置に設けられたことを特徴とするフィルムホルダ。
【請求項４】
請求項３に記載のフィルムホルダにおいて、
前記対角位置の角部（角部Ｈ３）と横変更方向の反対側の角部（角部Ｈ４）との間にガイド部を備え、
当該ガイド部は、スライドフィルムのコマを示すことを特徴とするフィルムホルダ。
【請求項５】
ストリップフィルム１本のコマ数のうち半分のコマ数に対応した読み取り領域を備える、透過原稿を読み取り可能なフラットベッド方式の画像読み取り装置本体と、当該画像読み取り装置本体で透過原稿を読み取るためのフィルムホルダとを備えて構成される画像読み取り装置であって、
前記フィルムホルダは、
ストリップフィルムを保持するストリップフィルムホルダ機構であって、
フィルムホルダの一の角部（角部Ｈ１）を、前記画像読み取り装置本体の原稿台の同じ位置関係にある角部（角部Ｂ１）に一致させた場合に、ストリップフィルム１本のコマのうち半分のコマ（第１のコマ群）が前記読み取り領域に含まれ、
フィルムホルダの前記角部（角部Ｈ１）の縦辺方向の反対側の角部（角部Ｈ２）を、前記画像読み取り装置本体の原稿台の前記角部（角部Ｂ１）の横辺方向の反対側の角部（角部Ｂ２）に一致させた場合に、ストリップフィルムの前記半分のコマ以外のコマ（第２のコマ群）が前記読み取り領域に含まれる位置に設けられたストリップフィルムホルダ機構と、
前記角部（角部Ｈ１）と縦辺方向の反対側の角部（角部Ｈ２）との間に設けられた２つのガイド部であって、
前記角部（角部Ｈ１）寄りのガイド部は、ストリップフィルムの前記半分のコマ以外のコマ（第２のコマ群）を示し、縦辺方向の反対側の角部（角部Ｈ２）寄りのガイド部は、前記半分のコマ（第１のコマ群）を示すガイド部とを備え、
前記画像読み取り装置本体の原稿台の周辺は、
前記フィルムホルダの角部（角部Ｈ１）を、前記画像読み取り装置本体の原稿台の同じ位置関係にある角部（角部Ｂ１）に一致させた場合に、前記角部（角部Ｈ２）寄りのガイド部に対応する位置に、前記半分のコマ（第１のコマ群）を示すガイド表示部と、
前記フィルムホルダの角部（角部Ｈ２）を、前記画像読み取り装置本体の原稿台の角部（角部Ｂ２）に一致させた場合に、前記角部（角部Ｈ１）寄りのガイド部に対応する位置に、前記第２のコマ群を示すガイド表示部と
を備えたことを特徴とする画像読み取り装置。
【請求項６】
請求項５に記載の画像読み取り装置において、
前記フィルムホルダは、
マウントされたスライドフィルムを保持するスライドフィルムホルダ機構であって、
前記フィルムホルダの一の角部（角部Ｈ１）の対角位置の角部（角部Ｈ３）を、前記画像読み取り装置の角部（角部Ｂ１）に一致させた場合、あるいは、前記フィルムホルダの一の角部（角部Ｈ１）の横辺方向の反対側の角部（角部Ｈ４）を、の横辺方向の反対側の角部（角部Ｂ２）に一致させた場合に、スライドフィルムが前記読み取り領域に含まれる位置に設けられたスライドフィルムホルダ機構と、
前記対角位置の角部（角部Ｈ３）と横変更方向の反対側の角部（角部Ｈ４）との間にスライドフィルムのコマを示すガイド部とをさらに備え、
前記画像読み取り装置本体の原稿台の周辺は、
前記フィルムホルダの一の角部（角部Ｈ１）の対角位置の角部（角部Ｈ３）を、前記画像読み取り装置の角部（角部Ｂ１）に一致させた場合、あるいは、前記フィルムホルダの一の角部（角部Ｈ１）の横辺方向の反対側の角部（角部Ｈ４）を、の横辺方向の反対側の角部（角部Ｂ２）に一致させた場合に、前記スライドフィルムのコマを示すガイド部に対応する位置に、スライドフィルムのコマを示すガイド表示部を備えたことを特徴とする画像読み取り装置。
【発明の詳細な説明】
【０００１】
【発明の属する技術分野】
本発明は、フラットベッド方式の画像読み取り装置で透過原稿を読み取るためのフィルムホルダに関する。
【０００２】
【従来の技術】
原稿台に載せられた原稿に対して、読み取り機構を動作させることでデータを読み取る、いわゆるフラットベッド方式の画像読み取り装置が広く普及している。フラットベッド方式の画像読み取り装置は、読み取り機構として一次元の撮像素子（ラインセンサ）を備え、撮像素子と光源とを搭載したキャリッジを原稿に対して移動（副走査）させながら原稿からの反射光を読み取ることで２次元の画像情報を取得するようになっている。
【０００３】
ネガフィルムまたはポジフィルムなどの透過原稿は光を通してしまうため、反射光を読み取るフラットベッド方式の画像読み取り装置では、読み取りに適さない。
【０００４】
そこで、原稿台のカバーに別の光源を設け、フィルムからの透過光を読み取ることで透過原稿を読みとれるようにしたフラットベッド方式の画像読み取り装置が実用化されている。
【０００５】
図１２は、このようなフラットベッド方式の画像読み取り装置の外観を示す図である。
【０００６】
本図に示すように、原稿台カバー１１５に設けられた光源１１５ａは面光源であり、フィルムの大きさに合わせて、原稿台の一部、例えば、中央部の副走査方向に伸びた矩形部分（図中の破線領域）を照らすようになっている。この部分が読み取り領域となるため、透過原稿を読みとれるようにしたフラットベッド方式の画像読み取り装置では、読み取り対象のフィルムが読み取り領域内に位置するためのガイドとなるフィルムホルダを用いるようにしている。
【０００７】
図１３は、従来のフィルムホルダの外観の概要を示す図である。従来のフィルムホルダ１５０は、３５ｍｍのストリップフィルムを１本保持するストリップフィルムホルダ部１５１と、マウントされた３５ｍｍのスライドフィルムを最大４個保持するスライドフィルムホルダ部１５２とを備えている。
【０００８】
ストリップフィルムを読み取る場合には、本図に示すように、このフィルムホルダ１５０の右上の角部を、原稿台の右上の角部に一致させた状態で原稿台に置くことで、破線で示した透過原稿読み取り領域内にストリップフィルムホルダ部１５１が位置するようになっている。
【０００９】
一方、スライドフィルムを読み取る場合には、図１４に示すように、フィルムホルダ１５０を上下反転させ、右上となった角部（図１３における左下の角部）を原稿台の右上の角部に一致させた状態で原稿台に置くことで、破線で示した透過原稿読み取り領域内にスライドフィルムホルダ部１５２が位置するようになっている。
【００１０】
【発明が解決しようとする課題】
近年、画像読み取り装置のコストダウン化およびデザイン上の制約等から、図１５に示すように、光源１２５ａの大きさを従来の半分として、原稿台カバー１２５の奥側に設ける機種が提案されている。
【００１１】
このような機種では、６コマが連なったストリップフィルムのうち、３コマ分しか読み取り領域内に収まらない。このため、４コマ〜６コマ目を読み取る場合には、図１６に示すように、４コマ〜６コマ目が読み取り領域内に収まるようにストリップフィルムをフィルムホルダに装着し、１コマ〜３コマ目を読み取る場合には、図１７に示すように、１コマ〜３コマ目が読み取り領域内に収まるようにストリップフィルムをフィルムホルダに装着することになる。
【００１２】
したがって、ストリップフィルム１本を読み取る場合には、ストリップフィルムを装着し直さなければならず、ユーザの負担が増えることになる。
【００１３】
本発明は、ストリップフィルム１本のコマ数のうち半分のコマ数に対応した読み取り領域を備える透過原稿の読み取り可能な画像読み取り装置において、透過原稿読み取りの際の使い勝手を悪化させないようにすることを目的とする。
【００１４】
【課題を解決するための手段】
上記課題を解決するため、本発明の第１の態様によれば、
ストリップフィルム１本のコマ数のうち半分のコマ数に対応した読み取り領域を備える、透過原稿を読み取り可能なフラットベッド方式の画像読み取り装置で、透過原稿を読み取るためのフィルムホルダであって、
ストリップフィルムを保持するストリップフィルムホルダ機構を備え、
前記ストリップフィルムホルダ機構は、
フィルムホルダの一の角部（角部Ｈ１）を、前記画像読み取り装置の原稿台の同じ位置関係にある角部（角部Ｂ１）に一致させた場合に、ストリップフィルム１本のコマのうち半分のコマ（第１のコマ群）が前記読み取り領域に含まれ、
フィルムホルダの前記角部（角部Ｈ１）の縦辺方向の反対側の角部（角部Ｈ２）を、前記画像読み取り装置の原稿台の前記角部（角部Ｂ１）の横辺方向の反対側の角部（角部Ｂ２）に一致させた場合に、ストリップフィルムの前記半分のコマ以外のコマ（第２のコマ群）が前記読み取り領域に含まれる位置に設けられたことを特徴とするフィルムホルダが提供される。
【００１５】
これにより、第１のコマ群を読み取った後、フィルムホルダを反転させることで第２のコマ群を読み取ることができるため、フィルムを装着し直す必要がなくなり、透過原稿読み取りの際の使い勝手を悪化を防ぐことができる。
【００１６】
ここで、
前記角部（角部Ｈ１）と縦辺方向の反対側の角部（角部Ｈ２）との間に２つのガイド部を備え、
前記角部（角部Ｈ１）寄りのガイド部は、ストリップフィルムの前記半分のコマ以外のコマ（第２のコマ群）を示し、縦辺方向の反対側の角部（角部Ｈ２）寄りのガイド部は、前記半分のコマ（第１のコマ群）を示すことができる。
【００１７】
これにより、読み取り対象のコマと、フィルムホルダをセットする位置とを対応させることができるようになる。
【００１８】
また、マウントされたスライドフィルムを保持するスライドフィルムホルダ機構をさらに備え、
前記スライドフィルムホルダ機構は、
前記フィルムホルダの一の角部（角部Ｈ１）の対角位置の角部（角部Ｈ３）を、前記画像読み取り装置の角部（角部Ｂ１）に一致させた場合、あるいは、前記フィルムホルダの一の角部（角部Ｈ１）の横辺方向の反対側の角部（角部Ｈ４）を、の横辺方向の反対側の角部（角部Ｂ２）に一致させた場合に、スライドフィルムが前記読み取り領域に含まれる位置に設けることにより、上記画像読み取り装置で、スライドフィルムを読み取ることができるようになる。
このとき、前記対角位置の角部（角部Ｈ３）と横変更方向の反対側の角部（角部Ｈ４）との間にガイド部を備え、
当該ガイド部は、スライドフィルムのコマを示すようにすることができる。
【００１９】
これにより、読み取り対象のスライドフィルムと、フィルムホルダをセットする位置とを対応させることができるようになる。
【００２０】
また、上記課題を解決するため、本発明の第２の態様によれば、
ストリップフィルム１本のコマ数のうち半分のコマ数に対応した読み取り領域を備える、透過原稿を読み取り可能なフラットベッド方式の画像読み取り装置本体と、当該画像読み取り装置本体で透過原稿を読み取るためのフィルムホルダとを備えて構成される画像読み取り装置であって、
前記フィルムホルダは、
ストリップフィルムを保持するストリップフィルムホルダ機構であって、
フィルムホルダの一の角部（角部Ｈ１）を、前記画像読み取り装置本体の原稿台の同じ位置関係にある角部（角部Ｂ１）に一致させた場合に、ストリップフィルム１本のコマのうち半分のコマ（第１のコマ群）が前記読み取り領域に含まれ、
フィルムホルダの前記角部（角部Ｈ１）の縦辺方向の反対側の角部（角部Ｈ２）を、前記画像読み取り装置本体の原稿台の前記角部（角部Ｂ１）の横辺方向の反対側の角部（角部Ｂ２）に一致させた場合に、ストリップフィルムの前記半分のコマ以外のコマ（第２のコマ群）が前記読み取り領域に含まれる位置に設けられたストリップフィルムホルダ機構と、
前記角部（角部Ｈ１）と縦辺方向の反対側の角部（角部Ｈ２）との間に設けられた２つのガイド部であって、
前記角部（角部Ｈ１）寄りのガイド部は、ストリップフィルムの前記半分のコマ以外のコマ（第２のコマ群）を示し、縦辺方向の反対側の角部（角部Ｈ２）寄りのガイド部は、前記半分のコマ（第１のコマ群）を示すガイド部とを備え、
前記画像読み取り装置本体の原稿台の周辺は、
前記フィルムホルダの角部（角部Ｈ１）を、前記画像読み取り装置本体の原稿台の同じ位置関係にある角部（角部Ｂ１）に一致させた場合に、前記角部（角部Ｈ２）寄りのガイド部に対応する位置に、前記半分のコマ（第１のコマ群）を示すガイド表示部と、
前記フィルムホルダの角部（角部Ｈ２）を、前記画像読み取り装置本体の原稿台の角部（角部Ｂ２）に一致させた場合に、前記角部（角部Ｈ１）寄りのガイド部に対応する位置に、前記第２のコマ群を示すガイド表示部と
を備えたことを特徴とする画像読み取り装置が提供される。
【００２１】
ここで、前記フィルムホルダは、
マウントされたスライドフィルムを保持するスライドフィルムホルダ機構であって、
前記フィルムホルダの一の角部（角部Ｈ１）の対角位置の角部（角部Ｈ３）を、前記画像読み取り装置の角部（角部Ｂ１）に一致させた場合、あるいは、前記フィルムホルダの一の角部（角部Ｈ１）の横辺方向の反対側の角部（角部Ｈ４）を、の横辺方向の反対側の角部（角部Ｂ２）に一致させた場合に、スライドフィルムが前記読み取り領域に含まれる位置に設けられたスライドフィルムホルダ機構と、
前記対角位置の角部（角部Ｈ３）と横変更方向の反対側の角部（角部Ｈ４）との間にスライドフィルムのコマを示すガイド部とをさらに備え、
前記画像読み取り装置本体の原稿台の周辺は、
前記フィルムホルダの一の角部（角部Ｈ１）の対角位置の角部（角部Ｈ３）を、前記画像読み取り装置の角部（角部Ｂ１）に一致させた場合、あるいは、前記フィルムホルダの一の角部（角部Ｈ１）の横辺方向の反対側の角部（角部Ｈ４）を、の横辺方向の反対側の角部（角部Ｂ２）に一致させた場合に、前記スライドフィルムのコマを示すガイド部に対応する位置に、スライドフィルムのコマを示すガイド表示部を備えるようにすることができる。
【００２２】
【発明の実施の形態】
本発明の実施の形態について図面を参照して説明する。
【００２３】
図１は、画像読み取りシステムの構成を示すブロック図である。本図に示すように画像読み取りシステム１は、画像読み取り装置１０と、画像読み取り装置１０の制御および画像処理を行なうホストコンピュータ２０とを備えて構成される。画像読み取り装置１０とホストコンピュータ２０とは、双方向通信が可能なそれぞれのインタフェース１１、２１を介して接続される。
【００２４】
画像読み取り装置１０は、原稿台に載せた反射原稿を読み込むフラットベッド方式の画像読み取り装置であるが、後述するように透過原稿を読み込むための機構も備えている。
【００２５】
画像読み取り装置１０は、箱形の筐体の上面に原稿を載せるための透明な原稿台１２と、原稿台１２に載せられた原稿に光を照射しながら図中の矢印方向（副走査方向）に移動して、原稿からの反射光を読み取るキャリッジ１３と、キャリッジ１３が読み取った反射光信号をデジタル変換し、補正等の処理を施した上で画像データに変換する画像処理部１４と、原稿台を覆うための原稿台カバー１５とを備えている。
【００２６】
キャリッジ１３は、ライン光源と、反射鏡と、レンズと、ラインセンサとを備えており、図示しない駆動機構により副走査方向の往復動作を行なう。
【００２７】
原稿台カバー１５の一部（図１５参照）には、白色の面光源１５ａが備えられている。この面光源１５ａから光を照射することで、原稿台１２に置かれたフィルム等の透過原稿をキャリッジ１３で読み取ることができるようになっている。このとき、フィルムは、読み取り位置が固定されるようにフィルムフォルダに収められた状態で原稿台１２に置かれる。
【００２８】
ホストコンピュータ２０は、ＣＰＵ２２、ＲＡＭ２３、ＲＯＭ２４、補助記憶装置２５等を備えた汎用的なパーソナルコンピュータを用いて構成することができる。ホストコンピュータ２０には、画像を表示するためのモニタ３０、ユーザからの指示を受け付けるための入力装置４０等が接続される。
【００２９】
また、ホストコンピュータ２０には、画像読み取り装置用の制御プログラムがインストールされている。ＣＰＵ２２がこのプログラムを実行することにより、ホストコンピュータ２０上に画像読み取り制御部が構築され、ホストコンピュータ２０は画像読み取り制御装置として機能する。
【００３０】
図２は、ホストコンピュータ２０上に構築される画像読み取り制御部２００の機能構成を示すブロック図である。
【００３１】
本図に示すように、画像読み取り制御部２００は、画像読み取り装置１０との通信を行なう通信部２０１と、画像読み取り装置１０における画像読み取り処理を制御する読み取り処理制御部２０２と、ユーザからの指示を受け付けたり、画像読み取り処理に関する情報を提示するユーザインタフェース部２０３とを備えている。
【００３２】
なお、画像読み取り装置１０における画像読み取り処理は、実際の画像読み取り処理である本スキャン処理とプレスキャン処理とに分けられる。プレスキャン処理は、本スキャン処理に先立ち、解像度を落として短時間で原稿台１２に置かれた原稿の画像を読み取る処理である。読み取り処理制御部２０２は、プレスキャン処理で読み取った画像をプレビュー表示して、読み取り範囲の指定を受け付けたり、読み取り解像度の設定等を受け付ける。
【００３３】
この処理のため、読み取り処理制御部２０２は、プレスキャン処理で読み取った原稿の画像をプレビュー表示するための処理を行なうプレビュー処理部２０２ａを備えている。
【００３４】
プレビュー処理部２０２ａは、読み取り対象が透過原稿の場合には、読み取ったフィルムの画像から、各コマを切り出してプレビュー表示を行なう。
【００３５】
図３は、本発明を適用したフィルムホルダ５０の外観を示す図である。図４は、本発明を適用した画像読み取り装置１０の原稿台１２の周辺部の外観を示す図である。フィルムホルダ５０は、通常、画像読み取り装置１０の付属品として頒布される。
【００３６】
本図に示すように、フィルムホルダ５０は、６コマ（１〜６コマ）が連なったストリップフィルム１本を保持するストリップフィルムホルダ５１と、スライドフィルムを最大２個（Ａコマ、Ｂコマ）を保持するスライドフィルムホルダ部５２とを備えている。フィルムホルダ５０は、フィルムを確実に保持し、かつ、強度および耐久性を備えるために、ある程度、例えば、数ミリ程度の厚さを有しており、それぞれのフィルムホルダ部５１、５２の側面側の縁には、フィルムのカーリングを抑え、また、フィルムのズレを防ぐためのフィルム抑え機構が付されている。
【００３７】
また、フィルムホルダ５０の縁部分の３箇所には原稿台１２に置く際のガイドとなるガイド部５３ａ、５３ｂ、５３ｃが設けられ、ストリップフィルムホルダ部５１の近傍に識別孔５４が設けられている。ガイド部５３ａ、５３ｂ、５３ｃには、それぞれ「１２３」「４５６」「ＡＢ」が表示されている。
【００３８】
本実施例において、「１２３」「４５６」は、ストリップフィルムのコマ番号を示し、「ＡＢ」は、スライドフィルムのそれぞれのコマを示している。もちろんコマの表記方法はこれらに限られない。
【００３９】
なお、フィルムホルダ５０のガイド部５３は、本図のように耳状に外側に設けるのではなく、図１１に示すように、内側に表示するようにしてもよい。
【００４０】
「１２３」と表示されたガイド部５３ａは、ストリップフィルムホルダ部５１の反対側の縁の、１〜３コマ目との対応関係が明確になる位置に設け、「４５６」と表示されたガイド部５３ｂは、ストリップフィルムホルダ部５１の反対側の縁の、４〜６コマ目との対応関係が明確になる位置に設け、「ＡＢ」と表示されたガイド部５３ｃは、スライドフィルムホルダ部５２の反対側の縁の、スライドフィルムホルダ部５２との対応関係が明確になる位置に設けるようにする。
【００４１】
画像読み取り装置１０の原稿台１２付近の３箇所には、フィルムホルダ５０を置く際のガイドとなるガイド表示部６０ａ、６０ｂ、６０ｃが設けられている。ガイド表示部６０ａ、６０ｂ、６０ｃには、それぞれ「１２３」「４５６」「ＡＢ」が表示されている。それぞれのガイド表示６０を設ける位置については、図５〜図７を参照して以下に説明する。なお、原稿台１２の左下角部をＢ１とし右下角部をＢ２とする。
【００４２】
なお、図４中の破線で示された矩形は、面光源１５ａによる照射範囲であり、画像読み取り装置１０における透過原稿の読み取り領域である。本領域は、ストリップフィルムが３コマ読み取れる大きさより少し大きく設定されている。
【００４３】
図５は、フィルムホルダ５０を用いて、６コマ連なったストリップフィルムのうち、１〜３コマ目までを読み取る場合の状態を示す図である。
【００４４】
すなわち、図３に示した向きから、フィルムホルダ５０を反転させ、フィルムホルダ５０の左下角部（Ｈ１）と原稿台１２の左下角部（Ｂ１）とをあわせることにより、ストリップフィルムの１〜３コマ目が読み取り領域に含まれるようになっている。
【００４５】
ここで、原稿台１２の周辺に設けられた「１２３」と表示されたガイド表示部６０ａは、フィルムホルダ５０に設けられた「１２３」と表示されたガイド部５３ａとの対応関係が明確になるような位置関係、例えば、重なる位置、あるいは、並ぶ位置等に配置する。
【００４６】
図６は、フィルムホルダ５０を用いて、６コマ連なったストリップフィルムのうち、４〜６コマ目までを読み取る場合の状態を示す図である。
【００４７】
すなわち、図３に示した向きで、フィルムホルダ５０の右下角部（Ｈ２）と原稿台１２の右下角部（Ｂ２）とをあわせることにより、ストリップフィルムの４〜６コマ目が読み取り領域に含まれるようになっている。
【００４８】
ここで、原稿台１２の周辺に設けられた「４５６」と表示されたガイド表示部６０ｂは、フィルムホルダ５０に設けられた「４５６」と表示されたガイド部５３ｂとの対応関係が明確になるような位置関係、例えば、重なる位置、あるいは、並ぶ位置等に配置する。
【００４９】
なお、図５、図６の場合とも、読み取り面は同一であり、図５における反転とは、半回転させ、上下を入れ替えることを意味している。
【００５０】
このように、反転させたフィルムホルダ５０の左下角部（Ｈ１）と原稿台１２の左下角部（Ｂ１）とをあわせることにより、ストリップフィルムの１〜３コマ目が読み取り領域に含まれるようにし、フィルムホルダ５０の右下角部（Ｈ２）と原稿台１２の右下角部（Ｂ２）とをあわせることにより、ストリップフィルムの４〜６コマ目が読み取り領域に含まれるようにするため、フィルムホルダ５０のストリップフィルムホルダ部５１は、以下に示すような位置に設けるものとする。
【００５１】
まず、図４に示すように、透過原稿読み取り領域が、原稿台１２の横辺方向について、左右の辺からＢＸの位置（すなわち、横辺方向については中央に位置する）で、縦辺方向について、その上端が下辺からＢＹの範囲に設けられているとする。
【００５２】
そして、図３に示すように、ストリップフィルムホルダ部５１の、フィルムホルダ５０の横辺方向について、遠い方の辺からの距離をＨＸとし、縦辺方向について、その両端が、それぞれの遠い方の辺からの距離をＨＹ１、ＨＹ２とした場合に、ＢＸ＝ＨＸ、および、ＢＹ＝ＨＹ１＝ＨＹ２をほぼ満たすものとする。ここで、「ほぼ満たす」としたのは、透過原稿読み取り領域は、ストリップフィルム３コマ分より若干大きめに設けられるためである。このため、実際には、ＢＸ＜ＨＸ、ＢＹ＞ＨＹ１＝ＨＹ２（すなわち、ストリップフィルムホルダ部５１は、縦辺方向については中央に位置する）となる。
【００５３】
図７は、フィルムホルダ５０を用いて、スライドフィルムを読み取る場合の状態を示す図である。
【００５４】
すなわち、図３に示した向きで、フィルムホルダ５０の左下角部（Ｈ３）と原稿台１２の左下角部（Ｂ１）とをあわせることにより、スライドフィルムのＡコマとＢコマとが読み取り領域に含まれるようになっている。なお、スライドフィルムホルダ部５２を、フィルムホルダ５０の図面上の下半分に設けた場合には、フィルムホルダ５０を反転させ、フィルムホルダ５０の右下角部（Ｈ４）と原稿台１２の右下角部（Ｂ２）とをあわせるようにする。
【００５５】
ここで、原稿台１２の周辺に設けられた「ＡＢ」と表示されたガイド表示部６０ｃは、フィルムホルダ５０に設けられた「ＡＢ」と表示されたガイド部５３ｃとの対応関係が明確になるような位置関係、例えば、重なる位置、あるいは、並ぶ位置等に配置する。
【００５６】
つぎに、読み取り処理制御部２０２のプレビュー処理部２０２ａが、プレスキャンでストリップフィルムを読み込んだ際のプレビュー表示を行なう際の処理について説明する。
【００５７】
一般に、ストリップフィルムのコマは横長で、左から順番に並ぶようになっている。したがって、フィルムホルダ５０により縦方向で読み込んだストリップフィルムの各コマは、ユーザが見やすいように、９０度回転させてプレビュー表示する必要がある。
【００５８】
また、図８に示すように、ストリップフィルムの１〜３コマ目を読み取る場合には、副走査方向の関係上、３コマ目、２コマ目、１コマ目の順序で画像が読み取られる。
【００５９】
このため、プレビュー処理部２０２ａは、ストリップフィルムの１〜３コマ目を読み取る場合には、読み取った逆の順番で、かつ、各コマを−９０度回転させてプレビュー表示させることになる。なお、副走査方向、あるいは、ストリップフィルムの装填向きが逆の場合には、当然読み取り順序および画像の回転方向は逆になる。
【００６０】
一方、図９に示すように、ストリップフィルムの４〜６コマ目を読み取る場合には、１コマ目、２コマ目、３コマ目の順序で画像が読み取られる。
【００６１】
このため、プレビュー処理部２０２ａは、ストリップフィルムの４〜６コマ目を読み取る場合には、読み取った順番で、かつ、各コマを９０度回転させてプレビュー表示させることになる。なお、副走査方向、あるいは、ストリップフィルムの装填向きが逆の場合には、当然読み取り順序および画像の回転方向は逆になる。
【００６２】
ところが、プレビュー処理部２０２ａは、読み取ったストリップフィルムの画像からは、読み取ったコマが、１〜３コマ目なのか４〜６コマ目なのかの判別をすることができない。
【００６３】
そこで、本実施例では、フィルムホルダ５０のストリップフィルムホルダ部５１の近傍には識別孔５４が設けられている。識別孔５４は、例えば、１コマ目〜３コマ目の側の読み取り領域内に含まれる位置に設けるようにする。識別孔５４は、光を透過させるため、読み取り領域内に識別孔５４が含まれていれば、読み取った画像中から識別孔５４を認識することができる。
【００６４】
プレビュー処理部２０２ａは、図１０のフロー図に示すように、ストリップフィルムのプレビュー表示の際に、読み取った画像中に識別孔５４を認識した場合（Ｓ１０１：Ｙ）には、読み取り対象がストリップフィルムの１コマ目〜３コマ目であると判断して、読み取った各コマの画像の順序を逆にして、かつ、−９０度回転させてプレビュー表示するようにする（Ｓ１０２）。そして、本スキャン時には、読み取った逆の順番で読み取りを行なうようにしてもよい。
【００６５】
一方、読み取った画像中に識別孔５４を認識した場合（Ｓ１０１：Ｎ）には、読み取り対象がストリップフィルムの４コマ目〜６コマ目であると判断して、読み取った各コマの画像を、順序通りに９０度回転させてプレビュー表示するようにする（Ｓ１０３）。そして、本スキャン時には、読み取った順番で読み取りを行なうようにしてもよい。
【図面の簡単な説明】
【図１】画像読み取りシステムの構成を示すブロック図。
【図２】画像読み取り制御部の機能構成を示すブロック図。
【図３】本発明を適用したフィルムホルダの外観を示す図。
【図４】本発明を適用した画像読み取り装置の原稿台周辺部の外観を示す図。
【図５】１〜３コマ目を読み取る場合の状態を示す図。
【図６】４〜６コマ目を読み取る場合の状態を示す図。
【図７】スライドフィルムを読み取る場合の状態を示す図。
【図８】１〜３コマ目のプレビュー表示処理を示す図。
【図９】４〜６コマ目のプレビュー表示処理を示す図。
【図１０】プレビュー表示処理を説明するフロー図。
【図１１】フィルムホルダのガイド部の別例を示す図。
【図１２】従来の画像読み取り装置を示す図。
【図１３】従来のフィルムホルダを示す図。
【図１４】従来のフィルムホルダを示す図。
【図１５】透過原稿の読み取り領域の狭い画像読み取り装置を示す図。
【図１６】４〜６コマ目の読み取りを示す図。
【図１７】１〜３コマ目の読み取りを示す図。
【符号の説明】
１  画像読み取りシステムシステム、１０  画像読み取り装置、１１  インタフェース、１２  原稿台、１３  キャリッジ、１４  画像処理部、１５  原稿台カバー、１５ａ  面光源、２０  ホストコンピュータ、２１  インタフェース、２２  ＣＰＵ、２３  ＲＡＭ、２４  ＲＯＭ、２５  補助記憶装置、３０  モニタ、４０  入力装置、５０  フィルムホルダ、５１  ストリップフィルムホルダ部、５２  スライドフィルムホルダ部、５３  ガイド部、５４  識別孔、６０  ガイド表示部
【図１】
2004242037.tif 000003
【図２】
2004242037.tif 000004
【図３】
2004242037.tif 000005
【図４】
2004242037.tif 000006
【図５】
2004242037.tif 000007
【図６】
2004242037.tif 000008
【図７】
2004242037.tif 000009
【図８】
2004242037.tif 000010
【図９】
2004242037.tif 000011
【図１０】
2004242037.tif 000012
【図１１】
2004242037.tif 000013
【図１２】
2004242037.tif 000014
【図１３】
2004242037.tif 000015
【図１４】
2004242037.tif 000016
【図１５】
2004242037.tif 000017
【図１６】
2004242037.tif 000018
【図１７】
2004242037.tif 000019